(57)【要約】【課題】薄手の合成樹脂シートを用いて成形した場合であっても、少なくとも端縁部では従来のものと同等の荷重に対する耐性（剛性）を持つことができ、かつ側壁部での透視性も確保することのできる蓋体と、その蓋体と容器本体とからなる包装用容器を提供すること。【解決手段】蓋体１０と容器本体４０とからなる包装用容器Ａにおいて、蓋体１０は端縁部に凸条１７が形成されている天板部１１と天板部１１から下方に向けて連接する側壁部１２とを備えた蓋体１０であり、蓋体１０の側壁部１２における天板部に形成した凸条１７に連接している領域には、上端部と下端部との長さが異なる略台形状の第１のリブ凹部２０を複数個形成する。さらに、凸条１７の第１のリブ凹部２０の上端部に連続する部位にも第２のリブ凹部３０を形成し、凸条を第２のリブ凹部３０によって複数個所に分断する。【選択図】図１
2012030887.tif 000002
【特許請求の範囲】
【請求項１】
少なくとも対向する両端縁部に凸条が形成されている天板部と前記天板部から下方に向けて連接する側壁部とを備えた蓋体であって、前記側壁部であって少なくとも前記天板部に形成した凸条に連接している領域には上端部と下端部との長さが異なる略台形状の第１のリブ凹部が複数設けられており、前記凸条の前記第１のリブ凹部の上端部に連続する部位には第２のリブ凹部が凸条の頂部に亘って形成されており、前記凸条は前記第２のリブ凹部によって部分的に分断されていることを特徴とする蓋体。
【請求項２】
少なくとも対向する両端縁部に凸条が形成されている天板部と前記天板部から下方に向けて連接する側壁部とを備えた蓋体であって、前記側壁部であって少なくとも前記天板部に形成した凸条に連接している領域には上端部が短くされた略台形状の第１のリブ凹部が複数設けられており、前記凸条の前記第１のリブ凹部の上端部に連続する部位には第２のリブ凹部が凸条の頂部に亘って形成されており、前記凸条は前記第２のリブ凹部によって部分的に分断されていることを特徴とする蓋体。
【請求項３】
請求項１または２に記載の蓋体と前記蓋体が着脱自在に装着される容器本体とからなる包装用容器。
【請求項４】
少なくとも対向する両端縁部に凸条が形成されている天板部と前記天板部から下方に向けて連接する側壁部とを備えた蓋体であって、前記側壁部であって少なくとも前記天板部に形成した凸条に連接している領域には上端部と下端部との長さが異なる略台形状の第１のリブ凹部が複数設けられており、前記凸条の前記第１のリブ凹部の上端部に連続する部位には第２のリブ凹部が凸条の頂部に亘って形成されており、前記凸条は前記第２のリブ凹部によって部分的に分断されている蓋体と容器本体とが連接部を介して一体に成形されてなることを特徴とする包装用容器。
【発明の詳細な説明】
【技術分野】
【０００１】
本発明は、蓋体とその蓋体を備えた包装用容器に関する。
【背景技術】
【０００２】
近年では、弁当や惣菜等は、これを特定の包装用容器に入れて運搬や販売等がなされており、そのための包装用容器も多岐にわたって製造されている。この種の包装用容器としては、内容物を収容した後にラップをかけて内容物を保護するようにして用いられる、いわゆるトレーと、内容物を容器本体に収容した後に蓋をかぶせるようにした、いわゆるパックとに大別することができるが、いずれにおいても、衛生的であることから合成樹脂を使用して形成されたものが多く用いられている。
【０００３】
包装用容器を構成する容器本体や蓋体として、合成樹脂シート（例えばポリエチレンテレフタレートやＯＰＳ（延伸ポリスチレンシート）、ポリプロピレンなど）を材料とし、真空成形または圧空成形などの熱成形により製造されているものがある。このようなシート成形による包装用容器では、シート厚をより薄くすることで軽量化を図りながら、容器として必要とされる強度を備えるものが求められる。特に、容器本体と蓋体とからなる包装用容器の場合、容器本体に内容物を収容し蓋をした状態のものを、例えば３〜５段に積み重ねて運搬箱中に収納したり、陳列棚に陳列することが行われていることから、多段に積み重ねたときの上からの荷重に耐えるだけの強度を持つことが求められている。
【０００４】
また、包装用容器が全体として平面視で矩形状のものである場合、多段に積み重ねられた包装用容器群から１つの包装用容器を取り出そうとするとき、包装用容器の端縁近傍であって一側方に偏った部位を手で持って取り出されることが多い。そのような偏った位置で包装用容器を支持しようとすると、包装用容器には下方に向けて回動しようとするモーメントが生じるので、包装用容器を水平姿勢に維持しようとすると、指先に、荷重の重心位置で支持する場合と比較して、より大きな力が働くようになる。包装用容器を構成する蓋体には、そのような場合であっても、変形しないだけの強度（剛性）を持つことが求められる。
【０００５】
一方、シート成形品において、強度とシート厚とは基本的には背反する事項であり、同時に双方を満足することはできないので、蓋体あるいは容器本体の所望位置に上下方向の補強用リブを形成することで、薄手のシートを用いて軽量化を図りながら求められる強度を確保することが通常行われており、特許文献１あるいは特許文献２等にはその一例が記載されている。特許文献１、２に記載の包装用容器では、蓋体あるいは容器本体の側壁部に縦方向の補強リブを形成するようにしており、さらに、特許文献１では、蓋体の天板部の周縁全体に凸条を形成することで、蓋体の強度を確保するようにしている。
【先行技術文献】
【特許文献】
【０００６】
【特許文献１】特開平１１−１７１２６０号公報
【特許文献２】特開２００８−２６５７６７号公報
【発明の概要】
【発明が解決しようとする課題】
【０００７】
本発明者らは、シート成形された蓋体あるいは容器本体の強度向上のための研究および実験を継続して行ってきているが、その過程で、特許文献１あるいは特許文献２に記載されるように、蓋体あるいは容器本体の側壁部にリブを設けることである程度までは強度補強ができるものの、側壁部にのみにリブを設けても得られる補強効果は限定的であり、さらに軽量化しながら要求される強度を確保するには、さらに改善すべき余地のあることを知った。
【０００８】
また、一般に、シート成形された蓋体あるいは容器本体は透明性があり内容物を外から透視できる利点があることから、食材の包装用容器等として商品価値の高いものとして用いられているところ、特許文献１あるいは特許文献２に記載のように、多数個の半円筒形状あるいは棒状あるいは菱形のリブを側壁部に多数形成したものは、リブ部分での光の屈折の関係で内部視認性が低下する場合があり、商品価値を損なう場合があることも経験した。
【０００９】
本発明は、上記の事情に鑑みてなされたものであり、より薄手の合成樹脂シートを用いて成形した場合であっても、少なくとも端縁部では従来のものと同等の荷重に対する耐性（剛性）を持つことができ、かつ側壁部での透視性も確保することのできる蓋体と、その蓋体と容器本体とからなる包装用容器を提供することを課題とする。
【課題を解決するための手段】
【００１０】
本発明者らは、上記の課題を解決すべく、さらに研究と実験を行うことにより、側壁部に上端部と下端部との長さが異なる略台形状をなす凹状リブを形成すること、天板部の端縁部に凸条を設けて該凸条部分にも側壁部に形成した凹状リブに連続する凹状リブを形成すること、そして、凸条部分に形成した凹状リブによって凸条部分をその頂部領域も含めて複数の領域に分断すること、とによって、単に側壁部のみに補強リブを形成する場合と比較して、荷重に対する耐性を向上させることができること、さらに、それに加えて透視性も十分に確保できることを知見した。本発明は上記の知見に基づいてなされたものである。
【００１１】
第１の発明は、少なくとも対向する両端縁部に凸条が形成されている天板部と前記天板部から下方に向けて連接する側壁部とを備えた蓋体であって、前記側壁部であって少なくとも前記天板部に形成した凸条に連接している領域には上端部と下端部との長さが異なる略台形状の第１のリブ凹部が複数設けられており、前記凸条の前記第１のリブ凹部の上端部に連続する部位には第２のリブ凹部が凸条の頂部に亘って形成されており、前記凸条は前記第２のリブ凹部によって部分的に分断されていることを特徴とする蓋体である。
【００１２】
第２の発明は、少なくとも対向する両端縁部に凸条が形成されている天板部と前記天板部から下方に向けて連接する側壁部とを備えた蓋体であって、前記側壁部であって少なくとも前記天板部に形成した凸条に連接している領域には上端部が短くされた略台形状の第１のリブ凹部が複数設けられており、前記凸条の前記第１のリブ凹部の上端部に連続する部位には第２のリブ凹部が凸条の頂部に亘って形成されており、前記凸条は前記第２のリブ凹部によって部分的に分断されていることを特徴とする蓋体である。
【００１３】
第３の発明は、上記の蓋体とその蓋体が着脱自在に装着される容器本体とからなる包装用容器である。
【００１４】
第４の発明は、少なくとも対向する両端縁部には凸条が形成されている天板部と前記天板部から下方に向けて連接する側壁部とを備えた蓋体であって、前記側壁部であって少なくとも前記天板部に形成した凸条に連接している領域には上端部と下端部との長さが異なる略台形状の第１のリブ凹部が複数設けられており、前記凸条の前記第１のリブ凹部の上端部に連続する部位には第２のリブ凹部が凸条の頂部に亘って形成されており、前記凸条は前記第２のリブ凹部によって部分的に分断されている蓋体と容器本体とが連接部を介して一体に成形されてなることを特徴とする包装用容器である。
【００１５】
上記の各発明において、蓋体は合成樹脂のシート成形によって形成される。本発明による蓋体は、側壁部が上端部と下端部との長さが異なる略台形状の第１のリブ凹部を有することに加えて、天板部の少なくとも対向する両端縁部に形成した凸条が第２のリブ凹部によって部分的に分断されていることにより、後の実施例に示すように、そのような第２のリブ凹部を有しないものと比較して、上方からの荷重に対する耐性（圧縮強度）が、少なくとも端縁部近傍では１０〜５０％程度向上する。換言すれば、本発明による蓋体は、同じ厚さのシートで成形された従来の蓋体と比較して、同じ大きさの圧縮荷重に対して、少なくとも対向する両端縁部においてその変形量は小さく、剛性が高くなる。
【００１６】
そのために、従来のシートよりも比較して薄手のシートを用いて蓋体を成形しても、成形された蓋体は従来品と同程度の圧縮強度（剛性）を持つことができ、軽量化できるので、環境にも優しい容器とすることができる。
【００１７】
また、第１のリブ凹部は、正面視で略台形状であり、従来側壁部に形成されていた半円筒形状あるいは棒状のリブと比較して、側壁部と平行な平面を多く持つことができる。そのために、透視性が大きく低下することもない。
【００１８】
本発明による包装用容器は、上記した蓋体を備えることで、少なくとも蓋体の対向する両端縁部近傍での剛性が大きくなり、１０〜５０％程度、その強度を向上させることができる。そのために、多段に段積みしたときに発生する上からの荷重による変形を、従来の蓋体を用いる場合と比較して抑制することができる。また、包装用容器の端縁部近傍を指で把持して持ち上げるときの蓋体の変形量も、従来の蓋体を用いる場合と比較して抑制することができる。このことは、包装用容器平面視で矩形状、特にほぼ長方形をなす形状の場合に、その短手方向の端縁部において、特に効果的に発現する。さらに、前記のように蓋体の透視性が低下することもないので、内容物を収容した包装用容器の商品価値も大きく向上する。
【００１９】
なお、本発明による蓋体において、対向する端縁部（好ましくは短手方向の対向する端縁部）だけでなく、天板部の全周にわたって凸条が形成されていてもよい。その場合には、全体の剛性が一層高くなり、外力によって変形するのをさらに抑え込むことができる。しかし、全周にわたって凸条が形成されていると、蓋体の天板部と側壁部とにわたって商品シール等を貼り付けるときの自由度が低下するので、少なくとも長手方向の周縁の一部には、凸条を形成しないことが望ましい。
【００２０】
本発明による包装用容器は、上記第３の発明のように、蓋体と容器本体とが別体になっているものでもよく、上記第４の発明のように、両者が連接部を介して一体に成形されている、いわゆるフードパックでもよい。いずれの場合も、蓋体はその周縁下部に容器本体に対する嵌合部を持つことは好ましく、それにより、蓋をしたときの密封性をより確実に確保することができる。
【発明の効果】
【００２１】
上記のように、本発明によれば、従来よりも薄手の合成樹脂シートを用いて蓋体を成形しても、少なくともその対向する両端縁部において従来と同程度の圧縮強度（剛性）を持つ蓋体が得られる。蓋体が平面視でほぼ長方形をなす形状の場合には、その短手方向の両端縁部において特に効果が大きい。それにより、蓋体の軽量化とその成形材料の節減が可能となる。また、本発明による包装用容器は軽量でありながら、多段に積み重ねしたときや包装用容器を手に取ろうとしたときの変形を抑制することができ、かつ蓋体は高い透視性を持つので、商品価値の高い包装用容器が得られる。
【図面の簡単な説明】
【００２２】
【図１】本発明による蓋体および蓋体と共に用いる容器本体の一例を分離した状態で示す斜視図。
【図２】蓋体と容器本体が一体となった本発明による包装用容器の一例を示す斜視図。
【図３】蓋体を端縁部側から見た側面図。
【図４】図３でのＩＶ−ＩＶ線に沿って切断した断面を示す図。
【図５】本発明による蓋体の他の例を端縁部側から見た側面図。
【発明を実施するための形態】
【００２３】
以下、本発明による蓋体および包装用容器の一実施の形態を図面を参照しながら説明する。図１に示すように、本発明による包装用容器Ａは蓋体１０と容器本体４０とで構成される。この例において、蓋体１０は透明なＯＰＳ等の合成樹脂シートを熱成形することで作られており、容器本体４０は着色された合成樹脂シートを熱成形することで作られている。容器本体４０は発泡樹脂成形品であってもよい。
【００２４】
蓋体１０は平面視で略長方形状であり、天板部１１と該天板部１１の周縁部から下方に連接する側壁部１２を備える。図３および図４にも示すように、側壁部１２の下端の全周は略Ｕ字状の凹溝部１３とされており、該凹溝部１３の外側上端部には水平方向のフランジ１４が形成されている。該フランジ１４は適所につまみ部として機能する突片１５を有している。また、凹溝部１３の底部近傍には、容器本体４０と内勘合するための外側への膨出部１６が全周にわたって形成されている。
【００２５】
蓋体１０は、少なくとも対向する短手方向の両端縁部に、適宜高さに上方へ突出する凸条１７を有している。図示の例で、凸条１７は、天板部１１の短手方向の側縁全部と長手方向の側縁の一部にまで連続して形成されており、長手方向の側縁は凸条のない領域を有している。なお、本発明では、天板部１１の「端縁部」とは、１つの側縁とその両端に繋がる側縁の一部を含んだ領域をいう。図示の例で、長手方向の側縁に凸条のない領域を設けたのは、天板部１１から側壁部１２に亘るようにして商品シール等を確実に貼り付けることができるようにするためであって、これに限らず、天板部１１の全周縁に亘るようにして、あるいは一方の長手方向の側縁の一部だけを除くようにして、凸条１７を形成してもよい。
【００２６】
蓋体１０の側壁部１２であって、少なくとも天板部１１に形成した凸条１７に連接している領域には、図３に示すように、正面から見たときに、上端部が短くされた略台形状の第１のリブ凹部２０が、側壁部１２の面から内側に所定距離だけ陥入するようにして形成されている。すなわち、第１のリブ凹部２０は、上端部が短くされた正面視で略台形状の底板部２１と、該底板部２１の左右側縁と側壁部１２とを接続する側面部２２とで構成され、水平方向断面は略Ｕ字状をなしている。好ましくは、前記底板部２１と隣接する側壁部１２とは互いにほぼ平行に位置するようにされる。
【００２７】
さらに、天板部１１に形成した前記凸条１７における前記第１のリブ凹部２０の上端部に連続する部位には、第１のリブ凹部２０に連続するようにして第２のリブ凹部３０が形成されており、図示のように、第２のリブ凹部３０は凸条１７の頂部にも亘っている。それによって、前記凸条１７は部分的に分断されている。換言すれば、凸条１７は第２のリブ凹部３０の数だけの頂部を含めた形状の凹嵌部を間隔をおいて有している。
【００２８】
図１に示す蓋体１０において、凸条１７が形成されていない天板部１１の側縁に連接する側壁部１２の領域にも、第１のリブ凹部２０と同様のリブ凹部が形成されている。しかし、この領域に形成されるリブ凹部は省略することもできる。
【００２９】
容器本体４０は、内容物収容部４１と、該内容物収容部４１の周囲に形成した立ち上がり壁４２と、把持部４３とを備える。立ち上がり壁４２の形状は、蓋体１０に形成した凹溝部１３の外側壁の形状とほぼ一致した形状とされており、垂直断面では末広がり形状であって、その上端部の内寸法は蓋体１０の凹溝部１３に形成した膨出部１６の外寸法よりもわずかに小さくされている。
【００３０】
上記の包装用容器Ａの使用態様を説明する。図１に示すように、蓋体１０と容器本体４０とを分離した状態で、容器本体４０の内容物収容部４１に食品等の内容物を収容する。その後で、図２に示すように、容器本体４０に蓋体１０を取り付ける。取り付けるに当たっては、蓋体１０の凹溝部１３に形成した膨出部１６が、容器本体４０における立ち上がり壁４２の上端部を乗り越えるようにして容器本体４０内に入り込み、いわゆる内嵌合状態で蓋体１０が容器本体４０に取り付けられるので、密封性の高い包装用容器が得られる。
【００３１】
内容物を収容することで重たくなった包装用容器Ａが多段に積み重ねられて、運搬箱中に収納され、また、陳列棚に陳列される。その際に、前記したように、下位に位置する包装用容器には大きな上からの荷重がかかる。また、積み重ねられた包装用容器の群から１つの包装用容器Ａを取り出すときに、蓋体１０の端縁部近傍に集中した力がかかり変形しやすくなる。しかし、本発明による蓋体１０は上記した構成を備えており、その変形が抑制される。
【００３２】
すなわち、蓋体１０の側壁部１２に形成される第１のリブ凹部２０は上端部が短くされた略台形状であり、両側にハ字状に広がる一対の側面部２２を有している。また、天板部１１は凸条１７を有し、該凸条は前記第１のリブ凹部２０に繋がる第２のリブ凹部３０によって複数個の領域に分断されている。前記ハ字状に広がる（すなわち、斜材となっている）一対の側面部２２・２２が側壁面１２に並列して複数個存在することで、蓋体１０の端縁部のコーナー部に作用する偏荷重に対して抵抗材となり、高い耐荷重性が得られると考えられる。また、そのことと、凸条が第１のリブ凹部２０に繋がる第２のリブ凹部３０によって複数個の領域に分断されていることとでも、蓋体１０の端縁部のコーナー部近傍に作用する偏荷重に対する耐性も大きくなり、その領域での変形も抑制されると考えられる。
【００３３】
さらに、第１のリブ凹部２０の前記した底板部２１はほぼ平坦面であり光が屈折するのを抑制することができるので、第１のリブ凹部２０での透視性が阻害されることもない。そのために、包装用容器Ａに収容した食品などの商品価値を高めることができる。
【００３４】
図５は、本発明による蓋体の他の例を示している。この蓋体１０Ａは、蓋体１０Ａの側壁部１２に形成される第１のリブ凹部２０の形状が、正面から見たときに、上端部が長く、下端部が短くされた略台形状である点で、図１〜図４に示した蓋体１０と相違している。そして、ここでも、天板部１１の凸条１７に形成される第２のリブ凹部３０は、第１のリブ凹部２０の上端部に連続するようにして形成されており、図示のように、第２のリブ凹部３０は凸条１７の頂部にも亘っている。他の構成は、図１〜図４に示した蓋体１０と同じであり、対応する部材には同じ符号を付すことで、説明は省略する。この態様の蓋体１０Ａも、前記した蓋体１０と同様に、高い圧縮強度と良好な透視性が得られることは、説明を要しない。
【００３５】
なお、上記の説明では、包装用容器Ａを蓋体１０（１０Ａ）と容器本体４０とが別々の部材からなるものとして説明したが、本発明による包装用容器は、前記した特許文献２に記載されるように、蓋体１０と容器本体４０とが連接部を介して一体に成形されてなる形状の包装用容器であってもよいことは当然であり、その形態の包装用容器も本発明に含まれる。
【実施例】
【００３６】
本発明による蓋体について、圧縮強度の試験を行った。
【００３７】
［実施例］厚み０．２５ｍｍのＯＰＳを熱成形して図１に示した形状の蓋体を得た。さらに、厚み０．４ｍｍのポリプロピレンシートを熱成形して蓋体を内嵌合できる形状の容器本体を得た。蓋体を容器本体に嵌合させた状態で、蓋体の端縁部であるコーナーから５ｍｍの位置に荷重をかけることで、蓋体のコーナー部の圧縮強度を測定した。装置には、ＡＩＫＯＨ ＥＮＧＩＮＥＥＲＩＮＧ（アイコーエンジニアリング）社製の荷重測定機（ＭＯＤＥＬ １３１ＯＤＳ）を用い、装置が荷重を感知してから、１０ミリ圧縮した時の荷重を測定して圧縮強度とした。測定された圧縮強度は、７７０ｇｆであった。
【００３８】
［比較例］実施例と同様に厚み０．２５ｍｍのＯＰＳを熱成形して比較例の蓋体を得た。ただし、比較例の蓋体では前記した第２のリブ凹部３０を凸条１７に形成しなかった。比較例の蓋体に対して実施例と同様にして圧縮強度試験を行った。測定された圧縮強度は、５９０ｇｆであった。
【００３９】
［考察］上記から、実施例の蓋体は比較例の蓋体と比較して、約３０％の強度の向上が確認された。
【符号の説明】
【００４０】
Ａ…包装用容器、
１０、１０Ａ…蓋体、
１１…天板部、
１２…側壁部、
１３…凹溝部、
１６…凹溝部に形成した外側への膨出部、
１７…蓋体の端縁部に形成した凸条、
２０…蓋体の側壁部に形成された第１のリブ凹部、
２１…第１のリブ凹部の底板部、
２２…第１のリブ凹部の側面部、
３０…天板部の凸条に形成された第２のリブ凹部、
４０…容器本体。
【図１】
2012030887.tif 000003
【図２】
2012030887.tif 000004
【図３】
2012030887.tif 000005
【図４】
2012030887.tif 000006
【図５】
2012030887.tif 000007